(57)【要約】  本発明は、内部容積を形成する複数の壁と、内部容積と連通している開口部とを備えているコンテナと、フレームとキャッチ要素とを有しているディスペンサであって、フレームが、コンテナを支持するように構成されており、キャッチ要素が、フレームに接続されている、ディスペンサと、を備えている製品ディスペンサシステムにおいて、キャッチ要素が、コンテナがフレームに搭載された場合に開口部を貫通して延在するように位置決めされる製品ディスペンサシステムに関する。
2013544540.tif 000002
【特許請求の範囲】
【請求項１】
内部容積を形成する複数の壁と、前記内部容積と連通している開口部とを備えているコンテナと、
フレームとキャッチ要素とを有しているディスペンサであって、前記フレームが、前記コンテナを支持するように構成されており、前記キャッチ要素が、前記フレームに接続されている、前記ディスペンサと、
を備えている製品ディスペンサシステムにおいて、
前記キャッチ要素が、前記コンテナが前記フレームに搭載された場合に前記開口部を貫通して延在するように位置決めされることを特徴とする製品ディスペンサシステム。
【請求項２】
前記内部容積内に受容される複数の製品を備えていることを特徴とする請求項１に記載の製品ディスペンサシステム。
【請求項３】
前記コンテナが、ペーパーボードから成ることを特徴とする請求項１に記載の製品ディスペンサシステム。
【請求項４】
前記開口部が、複数の前記壁のうち少なくとも２つの隣り合う壁を貫通して延在していることを特徴とする請求項１に記載の製品ディスペンサシステム。
【請求項５】
前記コンテナには、前記開口部から延在している少なくとも１つのミシン目列が形成されていることを特徴とする請求項１に記載の製品ディスペンサシステム。
【請求項６】
前記ミシン目列が、複数の前記壁のうち２つの隣り合う壁同士の間において第１の縁部に沿って延在していることを特徴とする請求項５に記載の製品ディスペンサシステム。
【請求項７】
前記コンテナには、前記開口部から延在している第２のミシン目列が形成されており、
前記第２のミシン目列が、前記コンテナの第２の縁部に沿って延在しており、
前記第２の縁部が、前記第１の縁部に対向していることを特徴とする請求項６に記載の製品ディスペンサシステム。
【請求項８】
前記フレームが、２つの対向する側面壁と、対向する２つの前記側面壁の間に形成されたサポート面とを備えており、
前記サポート面が、前方端部と後方端部とを有していることを特徴とする請求項１に記載の製品ディスペンサシステム。
【請求項９】
前記キャッチ要素が、前記サポート面に接続されていることを特徴とする請求項８に記載の製品ディスペンサシステム。
【請求項１０】
前記キャッチ要素が、前記サポート面に接続されているベースと、前記ベースから延在している突出部分とを備えていることを特徴とする請求項８に記載の製品ディスペンサシステム。
【請求項１１】
前記サポート面が、第１の平面を形成しており、
前記突出部分が、第２の平面を形成しており、
前記第１の平面が、前記第２の平面に対して略平行とされることを特徴とする請求項１０に記載の製品ディスペンサシステム。
【請求項１２】
前記突出部分が、前記サポート面の前記後方端部から離隔するように延在していることを特徴とする請求項１０に記載の製品ディスペンサシステム。
【請求項１３】
前記キャッチ要素が、前記サポート面の前記前方端部の近傍に位置決めされていることを特徴とする請求項８に記載の製品ディスペンサシステム。
【請求項１４】
前記前方端部が、前記後方端部に対して相対的に高い位置に配設されていることを特徴とする請求項８に記載の製品ディスペンサシステム。
【請求項１５】
前記フレームが、対向する前記側面壁同士の間に形成された第２のサポート面を備えており、
前記第２のサポート面が、前方端部及び後方端部を有しており、
前記第２のサポート面の前記前方端部が、ストッパを含んでいることを特徴とする請求項８に記載の製品ディスペンサシステム。
【請求項１６】
２つの対向する側面壁と、対向する前記側面壁同士の間に延在しているサポート面とを有しているフレームであって、前記サポート面が、前方端部と後方端部都を有している、前記フレームと、
前記サポート面の前記前方端部の近傍において前記サポート面に接続されているキャッチ要素と、
を備えていることを特徴とする製品ディスペンサ。
【請求項１７】
内部容積を形成する複数の壁を具備するコンテナであって、  複数の前記壁のうち下面壁には、前記内部容積に連通している開口部が形成されている、前記コンテナと、
フレームとキャッチ要素とを有しているディスペンサであって、前記フレームが、２つの対向する側面壁と、対向する前記側面壁同士の間において延在しているサポート面とを有しており、前記サポート面が、前方端部と後方端部とを有しており、前記キャッチ要素が、前記サポート面の前記前方端部の近傍において前記サポート面に接続されている、前記ディスペンサと、
を備えている製品ディスペンサシステムにおいて、
前記コンテナが、前記サポート面上に位置決めされ、
前記キャッチ要素が、前記コンテナの前記下面壁と係合されることを特徴とする製品ディスペンサシステム。
【請求項１８】
前記キャッチ要素が、前記サポート面に接続されているベースと、前記ベースから延在している突出部分とを備えていることを特徴とする請求項１７に記載の製品ディスペンサシステム。
【請求項１９】
前記サポート面が、第１の平面を形成しており、
前記突出部分が、第２の平面を形成しており、
前記第１の平面が、前記第２の平面と略平行とされることを特徴とする請求項１８に記載の製品ディスペンサシステム。
【請求項２０】
前記突出部分が、前記サポート面の前記後方端部から離隔するように延在していることを特徴とする請求項１８に記載の製品ディスペンサシステム。
【発明の詳細な説明】
【技術分野】
【０００１】
本願は、製品を梱包容器から分配することに関し、より具体的には、製品を分配するために梱包容器と協働するように構成されている製品ディスペンサに関する。
【背景技術】
【０００２】
一般に、製品は、例えばカートンや箱のような容器内に多数の独立した製品ユニットを収容することによって積荷のままで小売業者に出荷される。例えば缶詰食品は、２４個の独立した缶が一の箱に収容された状態で小売業者に出荷される場合がある。その後に、独立した製品ユニットを容器から取り出し、当該製品ユニットを（例えば棚の上に置いて）消費者に対して陳列することは、一般に小売業者の責任である。
【０００３】
従来の梱包−出荷−開梱−陳列モデルに対する代替モデルが、作業効率を改善しようとする試みによって発展してきている。例えば特許文献１は、容器内に梱包された製品を分配及び陳列するための新しいシステムを開示している。特に、当該システムは、支持構造体を具備するフレームと、製品陳列領域と、開梱ツールとを含んでいる。フレームを小売店の棚の上に配設し、単に多数の製品ユニットをフレームの支持構造体に備えている容器を載置すれば、多数の製品がフレーム上に陳列される。容器が支持構造体の上に載置されているので、フレームを開くための開放ツールによって容器が開かれると、製品が容器から転がり出て、重力の影響によってフレームの製品展示領域に落下する。
【０００４】
当該発明が属する技術分野では既に進歩しているが、当業者は、梱包容器から製品を取り出すための装置及びシステムに向けて研究開発の取り組みを継続している。
【先行技術文献】
【特許文献】
【０００５】
【特許文献１】米国特許第７９２２４３７号明細書
【発明の概要】
【発明が解決しようとする課題】
【０００６】
一の実施態様では、本発明における製品ディスペンサシステムは、内部容積を形成する複数の壁と、内部容積と連通している開口部とを備えているコンテナと、フレームとキャッチ要素とを有しているディスペンサであって、フレームが、コンテナを支持するように構成されており、キャッチ要素が、フレームに接続されている、ディスペンサとを備えている製品ディスペンサシステムにおいて、キャッチ要素が、コンテナがフレームに搭載された場合に開口部を貫通して延在するように位置決めされる。
【０００７】
他の実施態様では、本発明における製品ディスペンサは、２つの対向する側面壁と、対向する側面壁同士の間に延在しているサポート面とを有しているフレームであって、サポート面が、前方端部と後方端部都を有している、フレームと、サポート面の前方端部の近傍においてサポート面に接続されているキャッチ要素とを備えている。
【０００８】
さらなる他の実施態様では、本発明における製品ディスペンサシステムは、内部容積を形成する複数の壁を具備するコンテナであって、複数の壁のうち下面壁には、内部容積に連通している開口部が形成されている、コンテナと、フレームとキャッチ要素とを有しているディスペンサであって、フレームが、２つの対向する側面壁と、対向する側面壁同士の間において延在しているサポート面とを有しており、サポート面が、前方端部と後方端部とを有しており、キャッチ要素が、サポート面の前方端部の近傍においてサポート面に接続されている、ディスペンサとを備えているにおいて、コンテナが、サポート面上に位置決めされ、キャッチ要素が、コンテナの下面壁と係合される。
【０００９】
本発明における製品ディスペンサシステム及び関連する製品ディスペンサの他の実施態様は、以下の発明の詳細な説明、添付図面、及び特許請求の範囲から明らかになる。
【図面の簡単な説明】
【００１０】
【図１】部分的に組み立てられた、本発明における製品ディスペンサシステムの一の実施態様の縦断面図である。
【図２】完全に組み立てられた、図１に表わす本発明における製品ディスペンサシステムの縦断面図である。
【図３】図１に表わす製品ディスペンサシステムのディスペンサの一部分についての、前方から見た斜視図である。
【図４】図１に表わす製品ディスペンサシステムのディスペンサの他の部分についての、側方から見た斜視図である。
【図５】図１に表わす製品ディスペンサシステムのコンテナについての、前方から見た斜視図である。
【図６】図５に表わすコンテナを形成するために有用なコンテナブランクの上面図である。
【発明を実施するための形態】
【００１１】
図１及び図２に表わすように、本発明の一の実施形態におけるディスペンサシステム１０は、ディスペンサ１２とコンテナ１４とを含んでいる。コンテナ１４は、例えば缶（例えば缶詰スープ）、瓶（例えば瓶詰ソース）やボトル（例えば瓶詰ソフトドリンク）のような、製品１６から成る多数のユニットを収容することができる。従って、コンテナ１４がディスペンサ１２に搭載された場合には、ディスペンサ１２は、コンテナ１４を係止し、製品を解放することによってコンテナ１４からディスペンサ１２に向かわせるために、コンテナ１４を開くことができる。
【００１２】
コンテナ１４は、製品１６を収容可能とされると共に優位には本発明におけるディスペンサ１２と相互作用する、任意のコンテナとされる。一の実施例では、コンテナ１４は、図５に表わすように、内部容積３０を形成する６つの壁１８，２０，２２，２４，２６，２８を有している、概略的に直線で構成されたコンテナとされる。対向する壁２４，２０それぞれは、コンテナ１４の前面壁及び後面壁を形成している。対向する壁１８，２２それぞれは、コンテナ１４の第１の側面壁（例えば左側面壁）及び第２の側面壁（例えば右側面壁）を形成している。対向する壁２２，２６それぞれは、コンテナ１４の上面壁及び下面壁を形成している。
【００１３】
コンテナ１４の１つ以上の壁１８，２０，２２，２４，２６，２８には、コンテナ１４の内部容積３０に向けて開口している開口部３２が形成されている。一の実施例では、開口部３２は、コンテナ１４の後面壁２０及び下面壁２６に形成されており、コンテナの後面壁２０と下面壁２６との間において縁部３４に沿って局所的に形成されている。開口部３２は、コンテナ１４の左側面壁１８の近傍に（すなわち左側面壁１８に又は左側面壁１８の近くに）位置決めされている第１の端部（例えば左側端部）３６と、コンテナ１６の右側面壁２２の近傍に位置決めされている第２の端部（例えば右側端部）３８とを含んでいる。
【００１４】
当業者であれば、コンテナ１４がディスペンサ１２に搭載されている場合にディスペンサ１２が開口部３２によって係止可能とされることを条件として、開口部３２が様々な代替的な位置に配設されて良いこと、及び、開口部３２が様々な代替的な構成を有して良いことを想到するだろう。第１の代替実施例では、開口部３２がコンテナ１４の後面壁２０の全体に形成されている。第２の代替実施例では、開口部３２がコンテナ１４の下面壁２６の全体に形成されている。他の実施例であっても良い。
【００１５】
第１のミシン目列４０は、開口部３２からコンテナ１４の前面壁２４の近傍に至るまで略長手方向に延在している。例えば、第１のミシン目列４０は、下面壁２６に形成されており、左側面壁１８と下面壁２６との間において、開口部３２の左側端部３６から縁部４２に沿ってコンテナ１４の前面壁２４に至るまで延在している。しかしながら、当業者であれば想到することができるように、第１のミシン目列４０が、代替的に、左側面壁１８に又は下面壁２６及び左側面壁１８の両方に形成されている場合がある。
【００１６】
また、第２のミシン目列４４は、開口部３２からコンテナ１４の前面壁２４の近傍に至るまで略長手方向に延在している。例えば、第２のミシン目列４４は、下面壁２６に形成されており、右側辺壁２２と下面壁２６との間において、開口部３２の右側端部３８から縁部４６に沿ってコンテナ１４の前面壁２４に至るまで延在している。第１のミシン目列４０同様に、第２のミシン目列４４は、代替的には、右側面壁２２に又は下面壁２６及び右側面壁２２の両方に形成されている。
【００１７】
従って、開口部３２において下面壁２６に作用する引張力が、第１のミシン目列４０及び第２の列４４に沿って、下面壁２６（又は下面壁２６の少なくとも一部分）をコンテナ１４から分離させることができる。任意には、ミシン目から成る第３の列（図示しない）が、下面壁２６（又は下面壁２６の少なくとも一部分）をコンテナ１４から完全に分離させるために、（例えば前面壁２４と下面壁２６との間において縁部４８に沿って）第１のミシン目列４０から第２のミシン目列４４に至るまで延在している。
【００１８】
図５に表わす実施形態では、第１のミシン目列４０及び第２の列４４が、コンテナ１４内において、一連のジッパー状の切欠部分から構成されている。しかしながら、当業者であれば想到することができるように、標準的なミシン目及び微小なミシン目を含む非常に様々なミシン目のタイプ及びミシン目の密度（例えば１インチ当たりの接続区間／分離区間）が本発明の属する技術分野において知られており、様々なタイプの利用されるミシン目が本発明の技術的範囲に属するものである。
【００１９】
コンテナ１４は、例えば図６に表わすコンテナブランク５０のような、コンテナブランクから形成される。コンテナブランク５０は、コンテナブランク５０の外側縁部５２を形成するように、シート状のストック材料から事前に切断される。一の実施形態では、ストック材料は、例えばＣ１ＳペーパーボードやＣ２Ｓペーパーボードのようなペーパボードベースの材料とされる。Ｃ１Ｓペーパーボードは、第１の主要面には（例えばクレイが）コーティングされている一方、第２の主要面には何もコーティングされていない。Ｃ２Ｓペーパーボードは、第１の主要面及び第２の主要面の両方に（例えばクレイが）コーティングされている。任意には、コンテナブランク５０の少なくとも１つの主要面には、例えば文字情報や画像のような指標がマーキングされている。
【００２０】
コンテナブランク５０は、開口部３２と、第１のミシン目列４０及び第２のミシン目列４４と、事前に形成された複数の折り曲げ線５４，５６，５８，６０，６２，６４，６６，６７，６８とを含んでおり、これにより、壁パネル７０，７２，７４，７６と封止パネル７８と第１の大端部フラップ８０と第１の小端部フラップ８２と第２の大端部フラップ８４と第２の小端部フラップ８６とが形成されている。特に壁パネル７０の境界は、折り曲げ線６０，６２，６４と第１のミシン目列４０とによって形成されており、壁パネル７０は、組み立てられたコンテナ１４の左側面壁１８を形成している。壁パネル７２の境界は、折り曲げ線５８と第１のミシン目列４０及び第２のミシン目列４４と開口部３２とによって形成されており、壁パネル７２は、組み立てられたコンテナ１４の下面壁２６を形成している。壁パネル７４の境界は、折り曲げ線５６，６６，６７と第２のミシン目列４４とによって形成されており、組み立てられたコンテナ１４の右側面壁２２を形成している。壁パネル７６の境界は、折り曲げ線５４，６７，６８とコンテナブランク５０の外側縁部５２とによって形成されており、組み立てられたコンテナ１４の上面壁２８を形成している。封止パネル７８の境界は、折り曲げ線６２とコンテナブランク５０の外側縁部５２とによって形成されており、封止パネル７８は、コンテナ１４を組み立てる際に壁パネル７６に密着される。第１の大端部フラップ８０及び第１の小端部フラップ８２の境界は、折り曲げ線５４，５６，５８，６０とコンテナブランク５０の外側縁部５２とによって形成されており、第１の大端部フラップ８０及び第１の小端部フラップ８２は、コンテナ１４の前面壁２４を形成するように組み立てられる。第２の大端部フラップ８４及び第２の小端部フラップ８６の境界は、折り曲げ線６４，６６，６８とコンテナブランク５０の外側縁部５２とによって形成されており、第２の大端部フラップ８４及び第２の小端部フラップ８６は、コンテナ１４の後面壁２０を形成するように組み立てられる。
【００２１】
コンテナブランク５０について図示及び説明する一方、当業者であれば想到することができるように、様々な手法及び材料が、本発明における製品ディスペンサシステム１０のコンテナ１４を形成するために利用可能とされる。折り曲げられたペーパーボード製コンテナは、本発明における製品ディスペンサシステム１０のコンテナ１４の一の非限定的な例示にすぎない。
【００２２】
図１〜図４に表わすように、ディスペンサ１２は、コンテナ１４及び製品１６を所望の配置で支持するためのフレーム９０と、コンテナ１４の開口部３２に係止し、製品を解放することによってコンテナ１４からディスペンサ１２に向かわせるためのキャッチ要素９２とを含んでいる。当業者であれば想到することができるように、ディスペンサ１２は、本発明の技術的範囲から逸脱することなく、例えば特許文献１に開示されるディスペンサの構成要素及び機能のような、付加的な構成要素及び機能を含んでいる場合がある。
【００２３】
フレーム９０は、第１の側面壁９４と第２の側面壁９６と上側サポート面９８と下側サポート面１００とを含んでいる。第１の側面壁９４は、第２の側面壁９６から横方向に離隔しており、第２の側面壁９６と略平行になっている。
【００２４】
下側サポート面１００は、第１の側面壁９４と第２の側面壁９６との間において長手方向に延在しており、側面壁９４，９６の前方端部１０４，１０６に至るまで延在している前方端部１０２と、側面壁９４，９６の後方端部１１０，１１２に至るまで延在している後方端部１０８とを含んでいる。従って、下側サポート面１００と第１の側面壁９４及び第２の側面壁９６とが、フレーム９０の下階１１４を形成している。
【００２５】
図１及び図２に表わすように、下側サポート面１００の後方端部１０８の近傍に（すなわち、後方端部１０８に又は後方端部１０８の近くに）落下した製品１６が、重力の影響によって下側サポート面１００の前方端部１０２に向かって転がり落ちるように、下側サポート面１００は、前方端部１０２から後方端部１０８に向かって傾斜している（すなわち、後方端部１０８が、前方端部１０２より高く位置している）。下側サポート面１００の傾斜の程度は、特にフレーム９０を形成するために利用される材料の摩擦係数と、ディスペンサ１２によって取り出される製品１６の形状とによって決定される。
【００２６】
１つ以上のストッパ１１６が、製品１６が下側サポート面１００の前方端部１０２を越えて転がることを防止するために、下側サポート面１００の前方端部１０２の近傍に位置決めされている場合がある（図２参照）。例えば、ストッパ１１６は、下側サポート面１００に接続されており（例えば一体化されており）、下側サポート面１００の前方端部１０２において上方に向かって湾曲している。従って、ストッパ１１６は、下側サポート面１００の前方端部１０２において製品１６を収集するので、これにより下側サポート面１００の前方端部１０２に製品展示領域１１８を確立することができる。
【００２７】
上側サポート面９８は、第１の側面壁９４と第２の側面壁９６との間において長手方向に延在しており、第１の側面壁９４の前方端部１０４と第２の側面壁９６の前方端部１０６とに至るまで延在している前方端部１２０と、フレーム９０の任意の後面壁１２６には至らないが、当該後面壁に向かって延在している後方端部１２２とを含んでおり、これによりフレーム９０の上階１２４を形成している。上側サポート面９８の後方端部１２２と側面壁９４，９６の後方端部１１０，１１２と任意の後面壁１２６との間に形成された空間（図２参照）は、製品１６をフレーム９０の上階１２４から下階１１４に移動可能とするシュートとして機能する開口部１２８を形成している。
【００２８】
図１及び図２に表わすように、上側サポート面９８は、前方端部１２０から後方端部１２２に至るまで下方に傾斜している（すなわち、前方端部１２０が後方端部１２２に対して相対的に上方に位置している）。従って、上側サポート面９８によって支持されている製品１６は、重力の影響を受けて転がる。上側サポート面９８の後方端部１２２に向かって転がり、開口部１２８を通じて、最終的にはフレーム９０の下階１１４に到達する。
【００２９】
キャッチ要素９２は、フレーム９０の上階１２４に配設されており、上側サポート面９８の前方端部１２０と上側サポート面９８の後方端部１２２との間においてフレーム９０に接続されており、これにより、コンテナ１４がディスペンサ１２に搭載されている場合にコンテナ１４に係合することができる。キャッチ要素９２が、上側サポート面９８の前方端部１２０の前方に位置している場合もある。キャッチ要素９２の形状及び配置は、コンテナ１４がディスペンサ１２のフレーム９０の上側サポート面９８に搭載された場合にコンテナ１４の下面壁２６に解放可能に係合する（例えば保持する）ために、キャッチ要素９２がコンテナ１４の開口部３２を通じて延在するように選定される。
【００３０】
従って、図１及び図２に表わすように、コンテナ１４の下面壁２６がキャッチ要素９２と係合された状態において、特に開口部３２近傍の下面壁２６の一部分がキャッチ要素９２と係合された状態において、コンテナ１４がディスペンサ１２のフレーム９０の上側サポート面９８に搭載された場合に、下面壁２６（又は下面壁２６の少なくとも一部分）が、第１のミシン目列４０及び第２のミシン目列４４に沿ってコンテナ１４の他の壁１８，２０，２２，２４，２８から剥離される。
【００３１】
一の構成では、キャッチ要素９２は、上側サポート面９８の前方端部１２０の近傍においてフレーム９０の上側サポート面９８に接続されており、図３に表わすように、フレーム９０の第１の側面壁９４と第２の側面壁９６との間において横方向に延在している。図４に表わすように、キャッチ要素９２はベース１３０と突出部分１３２とを含んでいる。突出部分１３２は、側面図では指状とされ（図４参照）、ベース１３０から前方に（上側サポート面９８の後方端部１２２から離隔するように）延在しており、フレーム９０の第１の側面壁９４と第２の側面壁９６との間に形成された横方向間隔より小さい横方向幅Ｗを有している（図３参照）。非限定的な例示として、キャッチ要素９２の突出部分１３２の横方向幅Ｗは、フレーム９０の第１の側面壁９４と第２の側面壁９６との間に形成された横方向間隔の約４０％〜約８０％である。
【００３２】
搭載中にキャッチ要素９２の突出部分１３２とコンテナ１４との間における干渉（例えば抵抗）を最小限に抑えることを目的として、突出部分１３２は、キャッチ要素９２をコンテナ１４の開口部３２に係合可能とする一方、上側サポート面９８によって形成されている平面Ｐ２に対して略平行とされる平面Ｐ１を貫通して延在している。突出部分１３２の平面Ｐ１は、上側サポート面９８の平面Ｐ２から距離Ｄで離隔している。距離Ｄは、コンテナ１４の下面壁２６を受容可能な凹所１３４を突出部分１３２と上側サポート面９８との間に形成するのに十分な大きさである。従って、距離Ｄは、コンテナ１４の壁１８，２０，２２，２４，２６，２８の厚さによって決定されていると言える。
【００３３】
従って、コンテナ１４がディスペンサ１２に搭載された場合には、キャッチ要素９２の突出部分１３２が、下面壁２６の一部分が突出部分１３２と上側サポート面９８との間において凹所１３４の内部に向かって方向付けられるように、コンテナ１４の開口部３２を通じて延在している。下面壁２６の一部分がキャッチ要素９２によって係合されている状態において、コンテナ１４が上側サポート面９８の後方端部１２２に向かって付勢されている場合であっても、キャッチ要素９２のベース１３０によって、下面壁２６が後方に移動する（すなわち、上側サポート面９８の後方端部１２２に向かって移動する）ことが防止され、これにより下面壁２６（又は下面壁２６の少なくとも一部分）が、図２に表わすように、第１のミシン目列４０及び第２のミシン目列４４に沿ってコンテナ１４から分離する。コンテナ１４の下面壁２６が（部分的に又は完全に）分離した状態において、コンテナ１４内の製品１６が、コンテナ１４から解放され、ディスペンサ１２を介して製品展示領域１１８に転がって移動する。
【００３４】
指状の突出部分１３２を具備するキャッチ要素９２を図示すると共に説明しているが、当業者であれば理解可能なように、本発明の技術的範囲から逸脱することなく、様々な代替的な構造体を本発明のキャッチ要素９２として利用することができる。例えば様々なフック、突起、フランジ、戻り止め、及びこれらに類似する物を含む、代替的なキャッチ要素９２が、コンテナ１４がディスペンサ１２に搭載されている際にコンテナ１４の開口部３２に係止し、コンテナ１４の下面壁２６を剥ぎ取るのに十分な部材として想起される。
【００３５】
本発明における製品ディスペンサシステムの様々な実施態様を図示すると共に説明してきたが、当業者が本明細書を読めば、改良を想到することができる。本発明は、このような変更を含んでおり、特許請求の範囲のみによって限定される訳ではない。
【符号の説明】
【００３６】
１０  ディスペンサシステム
１２  ディスペンサ
１４  コンテナ
１６  製品
１８  壁（第１の側面壁；左側面壁）
２０  壁（後面壁）
２２  壁（第２の側面壁；右側面壁）
２４  壁（前面壁）
２６  壁（下面壁）
２８  壁（上面壁）
３０  内部容積
３２  開口部
３４  縁部
３６  第１の端部（左側端部）
３８  第２の端部（右側端部）
４０  第１のミシン目列
４２  縁部
４４  第２のミシン目列
４６  縁部
４８  縁部
５０  コンテナブランク
５２  外側縁部
５４  折り曲げ線
５６  折り曲げ線
５８  折り曲げ線
６０  折り曲げ線
６２  折り曲げ線
６４  折り曲げ線
６６  折り曲げ線
６７  折り曲げ線
６８  折り曲げ線
７０  壁パネル
７２  壁パネル
７４  壁パネル
７６  壁パネル
７８  封止パネル
８０  第１の大端部フラップ
８２  第１の小端部フラップ
８４  第２の大端部フラップ
８６  第２の小端部フラップ
９０  フレーム
９２  キャッチ要素
９４  第１の側面壁
９６  第２の側面壁
９８  上側サポート面
１００  下側サポート面
１０２  （下側サポート１００面の）前方端部
１０４  （第１の側面壁９４の）前方端部
１０６  （第２の側面壁９６の）前方端部
１０８  （下側サポート面１００の）後方端部
１１０  （第１の側面壁９４の）後方端部
１１２  （第２の側面壁９６の）後方端部
１１４    （フレーム９０の）下階
１１６    ストッパ
１１８    製品展示領域
１２０    （上側サポート面９８の）前方端部
１２２    （上側サポート面９８の）後方端部
１２４    （フレーム９０の）上階
１２６    後面壁
１２８    シュート
１３０    （キャッチ要素９２の）ベース
１３２    （キャッチ要素９２の）突出部分
１３４    凹所
【図１】
2013544540.tif 000003
【図２】
2013544540.tif 000004
【図３】
2013544540.tif 000005
【図４】
2013544540.tif 000006
【図５】
2013544540.tif 000007
【図６】
2013544540.tif 000008
【国際調査報告】
2013544540.tif 000009
2013544540.tif 000010